(57)【要約】【課題】送信ビット列のビット毎の受信品質を均等に近づける。【解決手段】送信装置から受信装置へ送信済みのビットを含む送信ビット列を前記受信装置へ送信する送信方法であって、前記送信装置は、前記送信ビット列を多値変調の送信シンボルにマッピングして前記受信装置へ送信する送信装置であって、前記受信装置への送信毎に、送信ビット列のビット毎の尤度に関する情報を取得し、前回の送信までの累積的な前記ビット毎の尤度に関する情報に基づいて、前記送信ビット列のビット毎の伝送品質が均等に近づくように、今回の送信ビット列の中で、前回の送信までの合成尤度の大きいビットほど前記送信シンボルにおける誤り耐性の低いビットにマッピングする制御を行なう。【選択図】図８
2011229175.tif 000002
【特許請求の範囲】
【請求項１】
送信装置から受信装置へ送信済みのビットを含む送信ビット列を前記受信装置へ送信する送信方法であって、
前記送信装置は、
前記送信ビット列を多値変調の送信シンボルにマッピングして前記受信装置へ送信する送信装置であって、
前記受信装置への送信毎に、送信ビット列のビット毎の尤度に関する情報を取得し、
前回の送信までの累積的な前記ビット毎の尤度に関する情報に基づいて、前記送信ビット列のビット毎の伝送品質が均等に近づくように、今回の送信ビット列の中で、前回の送信までの合成尤度の大きいビットほど前記送信シンボルにおける誤り耐性の低いビットにマッピングする制御を行なう、
ことを特徴とする、送信方法。
【請求項２】
送信装置から受信装置へ送信済みのビットを含む送信ビット列を前記受信装置へ送信する送信方法であって、
前記送信装置は、
前記送信ビット列を複数の送信アンテナのいずれかにマッピングして前記受信装置へ送信する送信装置であって、
前記受信装置への送信毎に、送信ビット列のビット毎の送信回数に関する情報を取得し、
前回の送信までの累積的な前記送信回数に関する情報に基づいて、前記送信ビット列のビット毎の伝送品質が均等に近づくように、今回の送信ビット列の中で、前回の送信までで前記送信回数の多いビットほど伝送品質の低い送信アンテナにマッピングする制御を行なう、
ことを特徴とする、送信方法。
【請求項３】
送信装置から受信装置へ送信済みのビットを含む送信ビット列を前記受信装置へ送信する送信方法であって、
前記送信装置は、
前記送信ビット列を複数の送信アンテナのいずれかにマッピングして前記受信装置へ送信する送信装置であって、
前記受信装置への送信毎に、送信ビット列のビット毎の尤度に関する情報を取得し、
前回の送信までの累積的な前記ビット毎の尤度に関する情報に基づいて、前記送信ビット列のビット毎の伝送品質が均等に近づくように、今回の送信ビット列の中で、前回の送信までの合成尤度が大きいビットほど伝送品質の低い送信アンテナにマッピングする制御を行なう、
ことを特徴とする、送信方法。
【請求項４】
前記伝送品質の低い送信アンテナの特定は、前記受信装置において測定され前記受信装置から通知される品質情報に基づいて行なわれる、
ことを特徴とする、請求項２又は３に記載の送信方法。
【請求項５】
前記送信装置は、
前記マッピングを行なった送信アンテナに関する情報を前記受信装置へ通知する、
ことを特徴とする、請求項２〜４のいずれか１項に記載の送信方法。
【請求項６】
受信装置へ送信済みのビットを含む送信ビット列を前記受信装置へ送信する送信装置であって、
前記受信装置への送信毎に、送信ビット列のビット毎の伝送に関する情報を取得する取得手段と、
前記取得手段により得られた、前回の送信までの累積的な前記伝送に関する情報に基づいて、前記送信ビット列のビット毎の伝送品質が均等に近づくように、今回の送信ビット列のビット毎の送信条件を制御する制御手段と、
前記送信ビット列を多値変調の送信シンボルにマッピングして前記受信装置へ送信する多値変調手段とをそなえ、
前記取得手段は、
前記伝送に関する情報としてビット毎の尤度を求めるビット毎尤度取得部をそなえ、且つ、
前記制御手段は、
前記送信条件の制御として、前記ビット毎尤度取得部で取得された尤度を基に、今回の送信ビット列の中で、前回の送信までの合成尤度の大きいビットほど前記送信シンボルにおける誤り耐性の低いビットにマッピングされるよう前記多値変調手段を制御するシンボルマッピング制御部、
をそなえたことを特徴とする、送信装置。
【請求項７】
受信装置へ送信済みのビットを含む送信ビット列を前記受信装置へ送信する送信装置であって、
前記受信装置への送信毎に、送信ビット列のビット毎の伝送に関する情報を取得する取得手段と、
前記取得手段により得られた、前回の送信までの累積的な前記伝送に関する情報に基づいて、前記送信ビット列のビット毎の伝送品質が均等に近づくように、今回の送信ビット列のビット毎の送信条件を制御する制御手段と、
前記送信ビット列を複数の送信アンテナのいずれかにマッピングして前記受信装置へ送信するマッピング手段とをそなえ、
前記取得手段は、
前記伝送に関する情報としてビット毎の送信回数を計数するビット毎送信回数計数部をそなえ、且つ、
前記制御手段は、
前記送信条件の制御として、前記ビット毎送信回数計数部の計数結果を基に、今回の送信ビット列の中で、前回の送信までで前記送信回数の多いビットほど伝送品質の低い送信アンテナにマッピングされるよう前記マッピング手段を制御するアンテナマッピング制御部、
をそなえたことを特徴とする、送信装置。
【請求項８】
受信装置へ送信済みのビットを含む送信ビット列を前記受信装置へ送信する送信装置であって、
前記受信装置への送信毎に、送信ビット列のビット毎の伝送に関する情報を取得する取得手段と、
前記取得手段により得られた、前回の送信までの累積的な前記伝送に関する情報に基づいて、前記送信ビット列のビット毎の伝送品質が均等に近づくように、今回の送信ビット列のビット毎の送信条件を制御する制御手段と、
前記送信ビット列を複数の送信アンテナのいずれかにマッピングして前記受信装置へ送信するマッピング手段とをそなえ、
前記取得手段は、
前記伝送に関する情報としてビット毎の尤度を求めるビット毎尤度取得部をそなえ、且つ、
前記制御手段は、
前記送信条件の制御として、前記ビット毎尤度取得部で取得された尤度を基に、今回の送信ビット列の中で、前回の送信までの合成尤度が大きいビットほど伝送品質の低い前記送信アンテナにマッピングされるよう前記マッピング手段を制御するアンテナマッピング制御部、
をそなえたことを特徴とする、送信装置。
【請求項９】
前記アンテナマッピング制御部は、
前記受信装置において測定され前記受信装置から通知される、前記送信アンテナ毎の品質情報に基づいて前記伝送品質の低い送信アンテナを特定し、特定した情報に基づいて前記マッピングを制御する、
ことを特徴とする、請求項７又は８に記載の送信装置。
【請求項１０】
前記送信装置は、
前記マッピングを行なった送信アンテナに関する情報を前記受信装置へ通知する送信アンテナ情報送信手段をさらにそなえたことを特徴とする、請求項７〜９のいずれか１項に記載の送信装置。
【発明の詳細な説明】
【技術分野】
【０００１】
本発明は、送信方法および送信装置に関する。本発明は、例えば、送信データの再送制御を行なう無線通信システムに用いると好適である。
【背景技術】
【０００２】
無線通信技術の変調方式の一つとして、ＱＰＳＫや１６ＱＡＭ等の多値変調方式が知られている。多値変調方式では、ターボ符号化等の誤り訂正符号化により符号化された送信ビット列を多値変調信号（シンボル）にマッピングする。１６ＱＡＭの場合であれば、１シンボルは４ビットから構成されるから、送信ビット列は当該４ビットのいずれかに対応付けられる（マッピングされる）。
【０００３】
また、ＨＳＤＰＡ（High Speed Downlink Packet Access）等の無線通信技術の要素技
術の一つとして、ＨＡＲＱが知られている（例えば、後記非特許文献１参照）。ＨＡＲＱは、受信側において、受信エラーとなったデータを廃棄せずに保持しておき、その後に送信側から再送されたデータと組み合わせて復号（誤り訂正復号）を行なう技術である。このように、ＨＡＲＱでは、誤りがあっても既に受信したデータを有効に利用することで、誤り訂正復号の利得を高め、再送回数を抑えることができる。
【０００４】
さらに、無線通信技術の一つとして、ＭＩＭＯが知られている。ＭＩＭＯは、送受信双方に複数アンテナを用いて、送信機の複数アンテナから独立したデータストリームを送信し、受信機の各受信アンテナで受信される信号から、伝播路上で混ざり合った複数の送信信号（データストリーム）を、伝播路（チャネル）推定値を用いて個々に分離することで、周波数帯域の拡大を必要とすることなく伝送レートを向上させる技術である。
【０００５】
なお、後記の特許文献１には、多値変調信号の信号点配置に起因した符号分割ブロック間の誤り耐性に差が発生し、ブロック間での品質の公平性が失われてしまうことがあるため、各ブロックに属する組織ビット（又は冗長ビット）の占有率が近くなるように送信ビット列の操作（制御）を行なうことで、ブロック間の誤り耐性の均一化を図ることが記載されている。
【先行技術文献】
【特許文献】
【０００６】
【特許文献１】特開２００５−２２９３１９号公報
【非特許文献】
【０００７】
【非特許文献１】3GPP TS 25.212 V7.4.0(2007-03)
【発明の概要】
【発明が解決しようとする課題】
【０００８】
本発明の目的の一つは、送信ビット列のビット毎の受信品質を均等に近づけることができるようにすることにある。
また、本発明の他の目的の一つは、無線通信特性（例えば、通信容量）を改善することにある。
なお、前記目的に限らず、後述する発明を実施するための最良の形態に示す各構成により導かれる作用効果であって、従来の技術によっては得られない作用効果を奏することも本発明の他の目的の一つとして位置付けることができる。
【課題を解決するための手段】
【０００９】
（１）第１の案として、送信装置から受信装置へ送信済みのビットを含む送信ビット列を前記受信装置へ送信する送信方法であって、前記送信装置は、前記送信ビット列を多値変調の送信シンボルにマッピングして前記受信装置へ送信する送信装置であって、前記受信装置への送信毎に、送信ビット列のビット毎の尤度に関する情報を取得し、前回の送信までの累積的な前記ビット毎の尤度に関する情報に基づいて、前記送信ビット列のビット毎の伝送品質が均等に近づくように、今回の送信ビット列の中で、前回の送信までの合成尤度の大きいビットほど前記送信シンボルにおける誤り耐性の低いビットにマッピングする制御を行なう、送信方法を用いることができる。
【００１０】
（２）また、第２の案として、送信装置から受信装置へ送信済みのビットを含む送信ビット列を前記受信装置へ送信する送信方法であって、前記送信装置は、前記送信ビット列を複数の送信アンテナのいずれかにマッピングして前記受信装置へ送信する送信装置であって、前記受信装置への送信毎に、送信ビット列のビット毎の送信回数に関する情報を取得し、前回の送信までの累積的な前記送信回数に関する情報に基づいて、前記送信ビット列のビット毎の伝送品質が均等に近づくように、今回の送信ビット列の中で、前回の送信までで前記送信回数の多いビットほど伝送品質の低い送信アンテナにマッピングする制御を行なう、送信方法を用いることができる。
【００１１】
（３）さらに、第３の案として、送信装置から受信装置へ送信済みのビットを含む送信ビット列を前記受信装置へ送信する送信方法であって、前記送信装置は、前記送信ビット列を複数の送信アンテナのいずれかにマッピングして前記受信装置へ送信する送信装置であって、前記受信装置への送信毎に、送信ビット列のビット毎の尤度に関する情報を取得し、前回の送信までの累積的な前記ビット毎の尤度に関する情報に基づいて、前記送信ビット列のビット毎の伝送品質が均等に近づくように、今回の送信ビット列の中で、前回の送信までの合成尤度が大きいビットほど伝送品質の低い送信アンテナにマッピングする制御を行なう、送信方法を用いることができる。
【００１２】
（４）また、第４の案として、受信装置へ送信済みのビットを含む送信ビット列を前記受信装置へ送信する送信装置であって、前記受信装置への送信毎に、送信ビット列のビット毎の伝送に関する情報を取得する取得手段と、前記取得手段により得られた、前回の送信までの累積的な前記伝送に関する情報に基づいて、前記送信ビット列のビット毎の伝送品質が均等に近づくように、今回の送信ビット列のビット毎の送信条件を制御する制御手段と、前記送信ビット列を多値変調の送信シンボルにマッピングして前記受信装置へ送信する多値変調手段とをそなえ、前記取得手段は、前記伝送に関する情報としてビット毎の尤度を求めるビット毎尤度取得部をそなえ、且つ、前記制御手段は、前記送信条件の制御として、前記ビット毎尤度取得部で取得された尤度を基に、今回の送信ビット列の中で、前回の送信までの合成尤度の大きいビットほど前記送信シンボルにおける誤り耐性の低いビットにマッピングされるよう前記多値変調手段を制御するシンボルマッピング制御部をそなえた、送信装置を用いることができる。
【００１３】
（５）さらに、第５の案として、受信装置へ送信済みのビットを含む送信ビット列を前記受信装置へ送信する送信装置であって、前記受信装置への送信毎に、送信ビット列のビット毎の伝送に関する情報を取得する取得手段と、前記取得手段により得られた、前回の送信までの累積的な前記伝送に関する情報に基づいて、前記送信ビット列のビット毎の伝送品質が均等に近づくように、今回の送信ビット列のビット毎の送信条件を制御する制御手段と、前記送信ビット列を複数の送信アンテナのいずれかにマッピングして前記受信装置へ送信するマッピング手段とをそなえ、前記取得手段は、前記伝送に関する情報としてビット毎の送信回数を計数するビット毎送信回数計数部をそなえ、且つ、前記制御手段は、前記送信条件の制御として、前記ビット毎送信回数計数部の計数結果を基に、今回の送信ビット列の中で、前回の送信までで前記送信回数の多いビットほど伝送品質の低い送信アンテナにマッピングされるよう前記マッピング手段を制御するアンテナマッピング制御部をそなえた、送信装置を用いることができる。
【００１４】
（６）また、第６の案として、受信装置へ送信済みのビットを含む送信ビット列を前記受信装置へ送信する送信装置であって、前記受信装置への送信毎に、送信ビット列のビット毎の伝送に関する情報を取得する取得手段と、前記取得手段により得られた、前回の送信までの累積的な前記伝送に関する情報に基づいて、前記送信ビット列のビット毎の伝送品質が均等に近づくように、今回の送信ビット列のビット毎の送信条件を制御する制御手段と、前記送信ビット列を複数の送信アンテナのいずれかにマッピングして前記受信装置へ送信するマッピング手段とをそなえ、前記取得手段は、前記伝送に関する情報としてビット毎の尤度を求めるビット毎尤度取得部をそなえ、且つ、前記制御手段は、前記送信条件の制御として、前記ビット毎尤度取得部で取得された尤度を基に、今回の送信ビット列の中で、前回の送信までの合成尤度が大きいビットほど伝送品質の低い前記送信アンテナにマッピングされるよう前記マッピング手段を制御するアンテナマッピング制御部をそなえた、送信装置を用いることができる。
【発明の効果】
【００１５】
前記開示した技術によれば、送信ビット列のビット毎の受信品質を均等に近づけることができる。
また、無線通信特性（例えば、通信容量）を改善することができる。
【図面の簡単な説明】
【００１６】
【図１】再送バッファにおいて送信回数の異なるビットの多値変調信号へのマッピングにルールがないことを説明する模式図である。
【図２】信号品質と通信容量との関係の一例を示すグラフである。
【図３】送信回数が多いビットを品質の低いビット（ＬＳＢ）にマッピングした方が通信容量を改善できることを説明する模式図である。
【図４】多値変調の一つである１６ＱＡＭの信号点配置例を示す図である。
【図５】受信品質に対する通信容量の関係の一例を、送信回数が多いビットを品質の低いビット（ＬＳＢ）にマッピングした場合と、品質の高いビット（ＭＳＢ）にマッピングした場合との比較で示すグラフである。
【図６】第１実施形態の無線通信システムの構成を示す機能ブロック図である。
【図７】図６に示す無線通信システムにおける送信方法（マッピング方法）を説明する模式図である。
【図８】第２実施形態の無線通信システムの構成を示す機能ブロック図である。
【図９】図８に示す無線通信システムにおける送信方法（マッピング方法）を説明する模式図である。
【図１０】図８に示す無線通信システムにおける他の送信方法（マッピング方法）を説明する模式図である。
【図１１】ビット毎の尤度を説明する図である。
【図１２】第３実施形態の無線通信システムの構成を示す機能ブロック図である。
【図１３】図１２に示す無線通信システムにおける送信方法（マッピング方法）を説明する模式図である。
【図１４】第４実施形態の無線通信システムの構成を示す機能ブロック図である。
【図１５】図１４に示す無線通信システムにおける送信方法（マッピング方法）を説明する模式図である。
【発明を実施するための形態】
【００１７】
以下、図面を参照して本発明の実施の形態を説明する。ただし、本発明は、以下に示す実施形態に限定されず、本発明の趣旨を逸脱しない範囲で種々変形して実施できることはいうまでもない。例えば、以下に明示しない実施例の組み合わせ等を行なうことも可能である。
〔１〕概要説明
この実施例では、送信ビット列をＱＰＳＫや１６ＱＡＭ等の多値変調のシンボル（信号点）にマッピング（対応付け）する場合や、送信ビット列をＭＩＭＯの送信アンテナへ割り振る場合、マッピング先（信号点位置、割り当て先アンテナ）に依存した各ビットの信号品質（受信品質）を考慮することとした。なお、以下において、送信ビット列をいずれかの送信アンテナに割り振ることも、「マッピング」と称する。
【００１８】
例えば、誤り訂正符号化した送信ビット列を所定の送信フレームに収まるようレートマッチング（パンクチャ処理やレペテション処理）した上で、１６ＱＡＭ等の多値変調信号（シンボル）にマッピングして送信する場合に、再送制御（例えばＨＡＲＱに基づく再送制御）が行なわれるものとすると、送信ビット列のビット毎に送信回数が異なるという現象が発生し得る。
【００１９】
即ち、適応変調符号化（ＡＭＣ）方式を採用するＨＳＤＰＡシステムのようなシステムにおいては、前記送信ビット列のビット数が送信契機毎に一定になるとは限らないため、初回の送信と再送１回目とに着目すると、例えば図１に模式的に示すように、送信ビット列を多値変調のシンボルにマッピングする際、初回と再送１回目とで重複して送信されるビットと、それ以外のビット（初回だけ送信されるビット及び／又は再送１回目だけ送信されるビット）とが生じ得る。
【００２０】
このような送信回数の異なるビットを含む送信ビット列を、多値変調のシンボルにどのようにマッピングするかについて、あるいは、ＭＩＭＯ通信に関しても、同様に、送信回数の異なるビットをどの送信アンテナに割り振るかについては、これまで工夫されていなかった。
そのため、受信側において、ＨＡＲＱ合成した結果、ビット毎の受信品質（尤度）にバラツキ（偏り）が生じるおそれがあり、無線通信特性（例えば、通信容量）が必ずしも最適化されているとはいえない。
【００２１】
この実施例では、次の性質を用いてマッピングにルールを設けることで受信特性を改善する。
信号品質（例えば、信号対雑音電力比（ＳＮＲ）、尤度等）に対する通信容量の関係は、図２に示すように、信号品質（受信品質）の低い方が傾き（通信容量の改善量）が大きく、小さな信号品質の変化でも通信容量が改善されやすい。一方、信号品質が或る程度大きくなると、傾きが小さくなるため、信号品質が良くなっても通信容量が改善される比率は小さくなる。なお、図２に示す特性は、シャノンの通信容量に対応しており、下記の参考文献においても誤り率を近似するために使われている。
【００２２】
（参考文献）K.Brueninghaus et al., “Link performance models for system level simulations of broadband radio access systems”, in Proc. PIMRC 2005
したがって、信号品質が小さなビットを例えば初回送信と再送１回目とで２回送信した方が、通信容量を改善（増加）することができる。
例えば図３の（１）に模式的に示すように、送信バッファに所定ビット数の送信ビット系列が保持されており、当該送信ビット系列に、初回送信と再送１回目とで重複して送信するビット（以下、重複ビットともいう）が存在する場合を想定する。
【００２３】
また、送信ビット系列を多値変調（例えば、１６ＱＡＭ）の送信シンボル（信号点）に対応付けて（マッピングして）送信する場合を想定する。送信シンボル（信号点）は、図４に示すように、Ｉチャネル、Ｑチャネルの複素平面（ＩＱ平面）において、Ｉ軸上の値（ＭＳＢ，ＬＳＢの２ビット）と、Ｑ軸上の値（ＭＳＢ，ＬＳＢの２ビット）とで表すことができる。
【００２４】
ここで、当該複素平面において外側（Ｉ軸、Ｑ軸から遠い位置）の信号点にマッピングされたビットに着目すれば、当該信号点が隣接する信号点に誤ってもＭＳＢは誤りとはならない（０又は１のままである）。これに対して、ＬＳＢはどの信号点にマッピングされても隣接する信号点に誤ると誤りになる（０又は１が１又は０になる）。即ち、マッピング先の特徴から、この場合はＭＳＢの方がＬＳＢに対して相対的に誤りにくいといえる。
【００２５】
したがって、ＭＳＢにマッピングされたビットの方が、ＬＳＢにマッピングされたビットよりも誤りにくく信号品質が良いといえる。
この場合、図３の（３）に模式的に示すように、初回送信と再送１回目とで重複ビットをいずれも送信シンボルにおいて他よりも信号品質の高い（誤りにくい）ビット（ＭＳＢ）にマッピングし、重複ビット以外の送信ビット列を当該送信シンボルにおいて他よりも信号品質の低い（誤り易い）ビット（ＬＳＢ）にマッピングして送信した場合と、これとは逆に、図３の（２）に模式的に示すように、初回送信と再送１回目とで重複ビットを誤り易いビット（ＬＳＢ）にマッピングし、重複ビット以外の送信ビット列を誤りにくいビット（ＭＳＢ）にマッピングして送信した場合とを比較すると、受信品質の観点からは、両者同等である。即ち、図３の（２），（３）において、送信ビット毎の受信品質（誤り耐性）を、品質が良いほど（ＬＳＢよりもＭＳＢを）大きな面積として表現すると、両者同等の面積となる。
【００２６】
しかしながら、通信容量の観点からは、図３の（４）に模式的に示すように、重複ビットをいずれもＬＳＢにマッピングして送信した場合と、図３の（５）に模式的に示すように、重複ビットをいずれもＭＳＢにマッピングして送信した場合とを比較すると、図２により上述した、信号品質が低いほど小さな受信品質の変化で通信容量が大きく改善されるという性質により、重複ビットをＬＳＢにマッピングした方（図３の（４）の場合）が、通信容量を改善（増加）することができる。即ち、図３の（４），（５）において、送信ビット毎の通信容量を面積表現すると、図３の（４）に示す方が大きな面積となる。
【００２７】
このようにして、１６ＱＡＭのＬＳＢ（相対的に誤り易いビット）にマッピングされるビットを初回送信と再送の１回目とで共通にする制限（ルール）を設ける、換言すれば、送信回数の多いビットほどＬＳＢに優先的にマッピングする。
これにより、多値変調信号において、信号品質の低いビットが優先的に再送されることになるから、受信側でＨＡＲＱ合成した結果、ビット毎の信号品質（尤度）が等レベルに近づく（図３の（２）参照）。その結果、通信容量を増やすことができる。
【００２８】
例えば図５に示すように、初回送信と再送の１回目とでＬＳＢにマッピングするビットを共通にした場合（符号１００参照）と、ＭＳＢにマッピングするビットを共通にした場合（符号２００参照）とで、再送１回目の通信容量を比較すると、前者の場合の方が後者の場合よりも通信容量を大きくすることができる。
なお、前記のＩ軸及びＱ軸の値（ＭＳＢ，ＬＳＢ）の定義が図４に示す例と異なれば、送信シンボルにマッピングされるビット列のうち、誤り易いビット、誤りにくいビットも異なることになる。その場合でも、送信回数の多いビットほど、送信シンボルの誤りやすいビットに優先的にマッピングすることで、通信容量の改善を図ることができる。
【００２９】
さらに、ＭＩＭＯ通信システムのように複数の送信アンテナを用いるシステムにおいて、送信回数が多い（あるいは推定尤度が低い）ビットほど、伝送品質の低い送信アンテナに優先的にマッピングして送信することとしても、通信容量の改善を図ることができる。
以上から、送信側は、受信側への送信毎に、送信ビット列のビット毎の送信回数や尤度といった伝送品質に関する情報を取得し、前回の送信までの累積的な前記伝送品質に関する情報に基づいて、送信ビット列のビット毎の伝送品質が均等に近づくように、今回の送信ビット列のビット毎の送信条件（多値変調信号あるいは送信アンテナへのマッピング方法）を制御することで、通信容量の改善を図ることが可能となることが理解される。
【００３０】
以下、ビット毎の送信回数を取得（計数）して多値変調信号へのマッピング方法を制御する例を第１実施形態、ビット毎の尤度を取得して多値変調信号へのマッピング方法を制御する例を第２実施形態、ビット毎の送信回数を取得してＭＩＭＯの送信アンテナへのマッピング方法を制御する例を第３実施形態、ビット毎の尤度を取得してＭＩＭＯの送信アンテナへのマッピング方法を制御する例を第４実施形態として、それぞれについて詳述する。
【００３１】
〔２〕第１実施形態
図６は第１実施形態の無線通信システムの構成を示す機能ブロック図である。この図６に示す無線通信システムは、無線送信装置１と、無線受信装置２とをそなえる。無線送信装置１は、例えば、無線基地局（ＢＳ）の送信系あるいは無線端末（ＵＥ）の送信系に適用することができ、無線受信装置２は、ＢＳの受信系あるいはＵＥの受信系に適用することができる（以降の実施形態においても同様）。
【００３２】
そして、無線送信装置（以下、単に「送信装置」ともいう）１は、誤り訂正符号化部１１と、第１レートマッチング処理部１２と、再送バッファ（メモリ）１３と、第２レートマッチング処理部１４と、多値変調部１５と、送信アンテナ１６と、ビット毎の伝送に関する情報の一例としてのビット毎の送信回数をカウントするビット毎送信回数制御部１７と、をそなえる。
【００３３】
ここで、誤り訂正符号化部１１は、無線受信装置２宛の送信データを誤り訂正符号化するものである。この誤り訂正符号化の例としては、ターボ符号化が挙げられる。この誤り訂正符号化部１１で符号化された送信データは、第１レートマッチング処理部１２に入力される。
第１レートマッチング処理部１２は、前記誤り訂正符号化された送信データに対して、再送バッファ１３の所定領域に収まるように第１のレートマッチング処理（ビットを間引くパンクチャ処理や、ビットを繰り返すことによるレペテション処理）を行なうものである。この第１レートマッチング処理部１２にてレートマッチング処理を施された送信データは、再送バッファ１３に入力される。
【００３４】
再送バッファ１３は、前記レートマッチング処理を施された送信データ（送信ビット列）を、再送に備えて記憶しておくものである。記憶した送信データは、受信装置２から受信エラーを示すＮＡＣＫ信号を受信した場合に、図示しない再送制御部からの制御に従って読み出されて、第２レートマッチング処理部１４に入力される。
第２レートマッチング処理部１４は、再送バッファ１３から入力された送信データについて、無線フレームの所定領域に収納可能なデータ長（ビット数）に調整するための第２のレートマッチング処理（ビットを間引くパンクチャ処理や、ビットを繰り返すことによるレペテション処理）を行なうものである。このような２段階のレートマッチング処理により、送信データの符号化率の柔軟な設定が可能となる。当該第２レートマッチング処理部１４にてレートマッチング処理を施された送信データは、多値変調部１５に入力される。
【００３５】
多値変調部１５は、前記第２のレートマッチング処理を施された送信データ（送信ビット列）を１６ＱＡＭ等の多値変調信号（シンボル）にマッピングして振幅位相変調するものである。１６ＱＡＭの場合であれば、１シンボルは４ビットで構成され、図４に例示した信号点配置、ビット配置となる。この多値変調部１５により得られた多値変調信号は、送信アンテナ１６に出力される。
【００３６】
送信アンテナ１６は、多値変調部１５で前記変調を施された信号（多値変調信号）を無線信号（無線フレーム）として無線受信装置（以下、単に「受信装置」ともいう）２に向けて送信するものである。なお、図６において、送信ビット列をＤＡ変換するＤＡ変換器や、多値変調信号を無線信号に周波数変換（アップコンバート）する周波数変換器、多値変調信号を所定の送信電力値に増幅する電力増幅器などの図示は省略している。この点は、第２実施形態以降の説明においても同様である。
【００３７】
ビット毎送信回数制御部（ビット毎送信回数計数部、シンボルマッピング制御部）１７は、再送バッファ１３に一旦保持された所定サイズの送信ビット列に関して、送信契機毎に、ビット毎の伝送に関する情報（送信回数）を計数、記憶し、今回の送信においてそれまでの送信回数が多いビットほど優先的に送信シンボルの誤り易いビット（ＬＳＢ）にマッピングされるように第２レートマッチング処理部１４及び多値変調部１５の処理を制御するものである。
【００３８】
即ち、ビット毎送信回数制御部１７は、例えば図７に模式的に示すように、再送処理毎に、それまでの送信回数の少ないビットを優先的に送信シンボルの誤りにくいビット（ＭＳＢ）にマッピングして、送信回数の多いビットが送信シンボルの誤り易いビット（ＬＳＢ）にマッピングされやすくする。
換言すれば、これまでの送信回数が少ないビットは、伝送品質が改善されるようにマッピングされやすくなり、これまでの送信回数が多いビットは、伝送品質が低下するようにマッピングされやすくなる。
【００３９】
これは、受信装置２が受信した前記送信ビット列を用いてＨＡＲＱ合成した結果のビット毎の信号品質（尤度）が均等に近づくように多値変調のシンボルマッピングを制御していることに相当する。
したがって、ビット毎送信回数制御部１７は、受信装置２への送信毎に、送信ビット列のビット毎の伝送に関する情報を取得する取得手段としての機能と、この取得手段により得られた、前回の送信までの累積的な前記伝送に関する情報に基づいて、前記送信ビット列のビット毎の伝送品質が均等に近づくように、今回の送信ビット列のビット毎の送信方法を制御する制御手段としての機能とを果たしているといえる。
【００４０】
なお、ビット毎の送信回数の計数（つまりはビット毎の伝送品質の取得）は、例えば、送信バッファ１３におけるビット記憶位置（メモリアドレス）毎に送信回数をカウントすることで実現することができる。
図７に示す例では、（１）初回送信時にはそれまでの送信回数は再送バッファ１３に保持されたどの送信ビットも０回なので、ビット毎送信回数制御部１７は、前記ルールは適用せずに通常通りのマッピングを行なう（例えば、ＭＳＢ，ＬＳＢに均等にマッピングする）。
【００４１】
（２）その後の再送１回目では、ビット毎送信回数制御部１７は、送信ビット列の中で、それまでの送信回数が０回のビットから優先的に所定ビット数分のＭＳＢのいずれかにマッピングする。ＭＳＢにマッピングしきれない同じ送信回数のビットがある場合は、ＬＳＢにマッピングする。送信回数が１回のビット（再送ビット）は、ＭＳＢに残りがあればＭＳＢにマッピングし、ＭＳＢにマッピングしきれなかったビットはＬＳＢにマッピングする。ＭＳＢに残りがなければ、送信回数が１回のビットはすべてＬＳＢにマッピングする。
【００４２】
（３）再送２回目では、ビット毎送信回数制御部１７は、送信ビット列の中で、それまでの送信回数が少ない（１回の）ビットを優先的にＭＳＢにマッピングする。ＭＳＢにマッピングしきれない同じ送信回数のビットがある場合は、ＬＳＢにマッピングする。送信回数がそれよりも多い２回のビットは、ＭＳＢに残りがあればＭＳＢにマッピングし、ＭＳＢにマッピングしきれなかったビットはＬＳＢにマッピングする。ＭＳＢに残りがなければ、送信回数が２回のビットはすべてＬＳＢにマッピングする。
【００４３】
（４）再送３回目では、ビット毎送信回数制御部１７は、送信ビット列の中で、それまでの送信回数が２回のビットを優先的にＭＳＢにマッピングする。ＭＳＢにマッピングしきれない同じ送信回数のビットがある場合は、ＬＳＢにマッピングする。送信回数がそれよりも多い３回のビットは、ＭＳＢに残りがあればＭＳＢにマッピングし、ＭＳＢにマッピングしきれなかったビットはＬＳＢにマッピングする。ＭＳＢに残りがなければ、送信回数が３回のビットはすべてＬＳＢにマッピングする。
【００４４】
以降、同様にして、ビット毎送信回数制御部１７は、それまでの送信回数が少ないビットほど優先的にＭＳＢにマッピングする（相対的に、送信回数の多いビットほどＬＳＢにマッピングされやすくなる）。なお、上記の例とは逆に、送信回数が多いビットから優先的にＬＳＢにマッピングすることとしてもよい。
このように、送信装置１が受信装置２からＮＡＣＫを受信することにより再送処理を行なう場合、多値変調信号において、これまでの送信回数が少ないビットをＭＳＢに優先的にマッピングすることで、ＨＡＲＱ合成後のビット毎の信号品質（尤度）を均等に近づけることができるので、通信容量の改善を図ることができる。
【００４５】
なお、連続する送信（第Ｎの送信、第Ｎ＋１の送信）において、同じ送信ビットをＬＳＢに配置して送信するというルールを採用することもできる。
〔３〕第２実施形態
図８は第２実施形態の無線通信システムの構成を示す機能ブロック図である。この図８に示す無線通信システムも、無線送信装置１と無線受信装置２とをそなえる。
【００４６】
無線送信装置１は、図６に示したものとそれぞれ同様の、誤り訂正符号化部１１と、第１レートマッチング処理部１２と、再送バッファ１３と、第２レートマッチング処理部１４と、多値変調部１５と、送信アンテナ部１６と、をそなえるほか、既述のビット毎送信回数制御部１７に代えて、ビット毎の伝送に関する情報の一例としてのビット毎の尤度を取得するビット毎尤度制御部１７ａをそなえる。
【００４７】
ここで、ビット毎尤度制御部（ビット毎尤度取得部、シンボルマッピング制御部）１７ａは、再送バッファ１３に一旦保持された所定サイズの送信ビット列に関して、送信契機毎に、ビット毎の尤度（受信装置２での推定尤度）の情報を多値変調部１５から取得して累積的に記憶し、今回の送信においてそれまでの合成尤度が大きいビットほど優先的に尤度の低いビット（ＬＳＢ）にマッピングされるように第２レートマッチング処理部１４及び多値変調部１５の処理を制御するものである。
【００４８】
尤度は、各ビットが０または１のどちらかである信頼度（誤りにくさ）を示す情報であり、尤度値が大きいほど信頼度が高い（信号品質が高い）ことを示す。例えば１６ＱＡＭの場合、図１０に示すように、尤度は、ＩＱ平面上の基準点（受信装置２での誤り訂正復号時の判定軸）からの距離の２乗の平均として求めることができる。図１０の例では、図４の信号点配置を前提として、ＭＳＢの尤度は（３2＋１2＋１2＋３2）／４＝５、ＬＳＢの尤度は（１2＋１2＋１2＋１2）／４＝１となる。つまり、ＭＳＢの方が基準点よりも遠いから、尤度が高く誤りにくいビット（信号品質の高いビット）であるといえる。
【００４９】
したがって、ビット毎尤度制御部１７ａは、今回の送信において、それまでの合成尤度が大きく信号品質の高いビットほど尤度の低いビット（ＬＳＢ）へのマッピングを行なうことになる。なお、前記尤度値は、対数尤度値として求めることとしてもよい。
即ち、ビット毎尤度制御部１７ａは、例えば図９に模式的に示すように、再送処理（送信契機）毎に、それまでの合成尤度の小さいビットを優先的に尤度の高いビット（ＭＳＢ）にマッピングすることで、合成尤度の大きいビットが尤度の低いビット（ＬＳＢ）にマッピングされやすくする。
【００５０】
換言すれば、これまでの合成尤度が小さいビットは、伝送品質が改善されるようにマッピングされやすくなり、これまでの合成尤度が大きいビットは、伝送品質が低下するようにマッピングされやすくなる。
これは、受信装置２が受信した前記送信ビット列を用いてＨＡＲＱ合成した結果のビット毎の推定尤度（受信品質）が等レベルに近づくように多値変調のシンボルマッピングを制御していることに相当する。
【００５１】
したがって、本例では、ビット毎尤度制御部１７ａが、受信装置２への送信毎に、送信ビット列のビット毎の伝送に関する情報を取得する取得手段としての機能と、この取得手段により得られた、前回の送信までの累積的な前記伝送に関する情報に基づいて、前記送信ビット列のビット毎の伝送品質が均等に近づくように、今回の送信ビット列のビット毎の送信方法を制御する制御手段としての機能とを果たしているといえる。
【００５２】
図９に示す例では、（１）初回送信時にはそれまでの送信回数は再送バッファ１３に保持されたどの送信ビットも０回なので、ビット毎尤度制御部１７ａは、前記ルールは適用せずに通常通りのマッピングを行なう。例えば、ＭＳＢ，ＬＳＢに均等にマッピングする。
（２）その後の再送１回目では、ビット毎尤度制御部１７ａは、送信ビット列の中で、それまでの合成尤度が０のビットから優先的に所定ビット数分のＭＳＢのいずれかにマッピングする。ＭＳＢにマッピングしきれない同じ合成尤度のビットがある場合は、ＬＳＢにマッピングする。それまでの合成尤度が１のビットは、ＭＳＢに残りがあればＭＳＢにマッピングし、ＭＳＢにマッピングしきれなかったビットはＬＳＢにマッピングする。それまでの合成尤度が５のビットは、ＭＳＢに残りがあればＭＳＢにマッピングし、ＭＳＢにマッピングしきれなかったビットはＬＳＢにマッピングする。ＭＳＢに残りがなければ、合成尤度が高いビット（１又は５）はすべてＬＳＢにマッピングする。
【００５３】
（３）再送２回目では、ビット毎尤度制御部１７ａは、送信ビット列の中で、それまでの合成尤度が２のビットを優先的にＭＳＢにマッピングする。ＭＳＢにマッピングしきれない同じ合成尤度のビットがある場合は、ＬＳＢにマッピングする。それまでの合成尤度が２よりも大きい５又は６のビットは、ＭＳＢに残りがあればＭＳＢにマッピングし、ＭＳＢにマッピングしきれなかったビットはＬＳＢにマッピングする。ＭＳＢに残りがなければ、合成尤度が５又は６のビットはすべてＬＳＢにマッピングする。
【００５４】
（４）再送３回目では、ビット毎尤度制御部１７ａは、送信ビット列の中で、それまでの合成尤度が６のビットを優先的にＭＳＢにマッピングする。ＭＳＢにマッピングしきれない同じ合成尤度のビットがある場合は、ＬＳＢにマッピングする。それまでの合成尤度が６よりも大きい７又は１０のビットは、ＭＳＢに残りがあればＭＳＢにマッピングし、ＭＳＢにマッピングしきれなかったビットはＬＳＢにマッピングする。ＭＳＢに残りがなければ、合成尤度が７又は１０のビットはすべてＬＳＢにマッピングする。
【００５５】
以降、同様にして、ビット毎尤度制御部１７ａは、それまでの合成尤度が小さいビットほど優先的に尤度の高いＭＳＢにマッピングする（相対的に、合成尤度の大きいビットほど尤度の小さいＬＳＢにマッピングされやすくなる）。なお、上記の例とは逆に、合成尤度が大きいビットから優先的にＬＳＢにマッピングすることとしてもよい。
このように、送信装置１が受信装置２からＮＡＣＫを受信することにより再送処理を行なう場合、多値変調信号において、これまでの合成尤度が小さいビットをＭＳＢに優先的にマッピングすることで、ＨＡＲＱ合成後のビット毎の信号品質（尤度）を均等に近づけることができるので、通信容量の改善を図ることができる。
【００５６】
なお、ビット毎尤度制御部１７ａは、例えば図１１に模式的に示すように、再送バッファ１３における送信ビット列を適当な割合で複数グループに分割し、当該グループ内で、これまでの合成尤度が小さいビットを優先的にＭＳＢにマッピングすることとしてもよい。図１１の例では、ＬＳＢにマッピングするビットグループを固定し、残りのビットグループの中で、これまでの合成尤度が小さいビットを優先的にＭＳＢにマッピングする様子を示している。ただし、ＭＳＢにマッピングするビットグループを固定としてもよい。
【００５７】
このようなグループ分けによるマッピング制御を行なえば、再送バッファ１３における送信ビット列の単位（サイズ）が大きくなっても、合成尤度の大小を判定する対象ビット数を制限することができる。したがって、マッピング制御の簡易化を図ることができ、装置規模、消費電力等を削減することができる。図１１に示す例のように、ＬＳＢ又はＭＳＢにマッピングするビットグループを固定すれば、その効果はさらに大きなものとなる。
【００５８】
なお、前記グループ分けは、第１実施形態に適用することもできる。また、後述する第３及び第４実施形態に適用することも可能である。
また、ビット毎の尤度に関する情報は、受信装置２で誤り訂正復号を行なった際に得られる尤度情報を送信装置１のビット毎尤度制御部１７ａにフィードバックすることとしてもよい。
【００５９】
この場合、送信装置１から受信装置２に至る実際の無線伝搬環境に応じた尤度を基に、送信装置１は、前記送信ビット列のビット毎のマッピング制御を実施できる。したがって、無線伝搬環境の変動に追従して通信容量の最適化を図ることができる。
〔４〕第３実施形態
図１２は第３実施形態の無線通信システムの構成を示す機能ブロック図である。この図１２に示す無線通信システムは、無線送信装置１としてのＭＩＭＯ送信機と無線受信装置２としてのＭＩＭＯ受信機とをそなえる。
【００６０】
ＭＩＭＯ送信機１は、図６に示したものとそれぞれ同様の、誤り訂正符号化部１１と、第１レートマッチング処理部１２と、再送バッファ１３と、第２レートマッチング処理部１４とをそなえるほか、ビット毎の伝送に関する情報の一例としてのビット毎の送信回数をカウントするビット毎送信回数制御部１７ｂと、複数の送信アンテナ１６と、マッパ１８と、送信アンテナ制御情報生成部１９と、をそなえる。
【００６１】
ここで、マッパ１８は、第２レートマッチング処理部１４にてレートマッチング処理を施された送信データ（送信ビット列）を送信アンテナ１６に対応した送信ストリームに分離し、送信ストリーム別に、ＱＰＳＫや１６ＱＡＭ等の多値変調信号（送信シンボル）へのマッピングを行なう機能を具備する。
ビット毎送信回数制御部（ビット毎送信回数計数部、アンテナマッピング制御部）１７ｂは、再送バッファ１３に一旦保持された所定サイズの送信ビット列に関して、送信契機毎に、ビット毎の送信回数を計数、記憶し、今回の送信においてそれまでの送信回数が多いビットほど優先的に伝送品質の低い送信アンテナ１６（チャネル）にマッピングされるように第２レートマッチング処理部１４及びマッパ１８を制御するものである。
【００６２】
送信アンテナ１６（チャネル）毎の伝送品質は、例えば、ＭＩＭＯ受信機２からフィードバック（通知）される送信アンテナ品質情報（どの送信アンテナ１６の伝送品質が高いかを示す情報）に基づいて決定（特定）される。この送信アンテナ品質情報は、送信アンテナ１６毎の品質を示す情報そのものでもよいし、品質の順番を示す情報であってもよい。また、送信アンテナ１６のすべてではなく、送信に用いた一部の送信アンテナ１６に関する情報に限定してもよい。
【００６３】
前記送信アンテナ品質情報は、例えば、ＭＩＭＯ受信機２において、ＭＩＭＯ送信機１から異なる時間に異なる送信アンテナ１６から送信される、あるいは、送信アンテナ１６別に並列的に送信されるパイロット信号等の既知の信号の受信電力を基に求めることができる。
また、ビット毎送信回数制御部１７ｂは、例えば図１３に模式的に示すように、再送処理（送信契機）毎に、それまでの送信回数の少ないビットを優先的に伝送品質の高い送信アンテナ１６（チャネル）にマッピングする。相対的に、送信回数の多いビットは、伝送品質の低い送信アンテナ１６にマッピングされやすくなる。
【００６４】
換言すれば、これまでの送信回数が少ないビットは、伝送品質が改善されるようにマッピングされやすくなり、これまでの送信回数が大きいビットは、伝送品質が低下するようにマッピングされやすくなる。
これは、ＭＩＭＯ受信機２が受信した前記送信ビット列を用いてＨＡＲＱ合成した結果のビット毎の推定尤度（受信品質）が等レベルに近づくように送信アンテナ１６（チャネル）へのマッピングを制御していることに相当する。
【００６５】
したがって、本例では、ビット毎送信回数制御部１７ｂが、ＭＩＭＯ受信機２への送信毎に、送信ビット列のビット毎の伝送に関する情報を取得する取得手段としての機能と、この取得手段により得られた、前回の送信までの累積的な前記伝送に関する情報に基づいて、前記送信ビット列のビット毎の伝送品質が均等に近づくように、今回の送信ビット列のビット毎の送信方法を制御する制御手段としての機能とを果たしているといえる。
【００６６】
図１３に示す例は、送信アンテナ１６が２本（Ｔｘ１，Ｔｘ２）で、Ｔｘ１の方がＴｘ２よりも伝送品質が高いと仮定した場合であり、（１）初回送信時にはそれまでの送信回数は再送バッファ１３に保持されたどのビットも０回なので、ビット毎送信回数制御部１７ｂは、前記ルールは適用せずに通常通りのマッピングを行なう。例えば、送信アンテナＴｘ１，Ｔｘ２に均等にマッピングする。
【００６７】
（２）その後の再送１回目では、ビット毎送信回数制御部１７ｂは、送信ビット列の中で、それまでの送信回数が最小（０回）のビットから優先的に所定ビット数分を伝送品質の高い送信アンテナＴｘ１にマッピングする。送信アンテナＴｘ１にマッピングしきれない同じ送信回数（０回）のビットがある場合は、伝送品質の低い送信アンテナ１６にマッピングする。それまでの送信回数が１回のビットは、送信アンテナＴｘ１へのマッピングに余裕があれば送信アンテナＴｘ１にマッピングし、送信アンテナＴｘ１にマッピングしきれなかったビットは送信アンテナＴｘ２にマッピングする。送信アンテナＴｘ１へのマッピングに余裕がなければ、送信回数が２回のビットはすべてＬＳＢにマッピングする。
【００６８】
（３）再送２回目では、ビット毎送信回数制御部１７ｂは、送信ビット列の中で、それまでの送信回数が最小（１回）のビットを優先的に送信アンテナＴｘ１にマッピングする。送信アンテナＴｘ１にマッピングしきれない同じ送信回数（１回）のビットがある場合は、送信アンテナＴｘ２にマッピングする。それまでの送信回数が２のビットは、送信アンテナＴｘ１へのマッピングに余裕があれば送信アンテナＴｘ１にマッピングし、送信アンテナＴｘ１にマッピングしきれなかったビットは送信アンテナＴｘ２にマッピングする。送信アンテナＴｘ１へのマッピングに余裕がなければ、送信回数が２回のビットはすべてＬＳＢにマッピングする。
【００６９】
（４）再送３回目では、ビット毎送信回数制御部１７ｂは、送信ビット列の中で、それまでの送信回数が最小（２回）のビットを優先的に送信アンテナＴｘ１にマッピングする。送信アンテナＴｘ１にマッピングしきれない同じ送信回数（２回）のビットがある場合は、送信アンテナＴｘ２にマッピングする。それまでの送信回数が３回のビットは、送信アンテナＴｘ１へのマッピングに余裕があれば送信アンテナＴｘ１にマッピングし、送信アンテナＴｘ１にマッピングしきれなかったビットは送信アンテナＴｘ２にマッピングする。送信アンテナＴｘ１へのマッピングに余裕がなければ、送信回数が３回のビットはすべて送信アンテナＴｘ２にマッピングする。
【００７０】
以降、同様にして、ビット毎送信回数制御部１７ｂは、それまでの送信回数が少ないビットほど優先的に伝送品質の高い送信アンテナＴｘ１にマッピングする（相対的に、送信回数の多いビットほど伝送品質の低い送信アンテナＴｘ２にマッピングされやすくなる）。なお、上記の例とは逆に、送信回数が多いビットから優先的に伝送品質の低い送信アンテナＴｘ２にマッピングすることとしてもよい。
【００７１】
このように、ＭＩＭＯ送信機１がＭＩＭＯ受信機２からＮＡＣＫを受信することにより再送処理を行なう場合、これまでの送信回数が少ないビットほど伝送品質の高い送信アンテナ１６にマッピングすることで、ＨＡＲＱ合成後のビット毎の信号品質（尤度）を均等に近づけることができるので、通信容量の改善を図ることができる。
なお、送信アンテナ制御情報生成部１９は、ビット毎尤度制御部１７ｃによって、どの送信アンテナ１６の伝送品質が良いとしてビットをマッピングしたか（マッピング方法）を示す情報（送信アンテナ制御情報）を生成するものである。
【００７２】
この情報は、例えば、送信データに付随する制御情報として送信アンテナ１６からＭＩＭＯ受信機２に送信する。このように、マッピング方法をＭＩＭＯ送信機１からＭＩＭＯ受信機２に通知することで、前記フィードバック情報（送信アンテナ品質情報）が伝搬環境によってＭＩＭＯ送信機１において受信エラーとなる等、正しく受信できなかったとしても、ＭＩＭＯ受信機２は、当該送信アンテナ制御情報を基に受信信号に対して適切なデマッピング処理、復調処理、復号処理を施すことができる。
【００７３】
なお、送信アンテナ制御情報は、ＭＩＭＯ受信機２からの前記フィードバック情報と同様に、送信アンテナ１６の伝送品質の順番を示す情報としてもよい。
〔５〕第４実施形態
図１４は第４実施形態の無線通信システムの構成を示す機能ブロック図である。この図１４に示す無線通信システムは、無線送信装置１としてのＭＩＭＯ送信機と無線受信装置２としてのＭＩＭＯ受信機とをそなえる。
【００７４】
ＭＩＭＯ送信機１は、図６に示したものとそれぞれ同様の、誤り訂正符号化部１１と、第１レートマッチング処理部１２と、再送バッファ１３と、第２レートマッチング処理部１４と、図１２に示したものとそれぞれ同様の、複数の送信アンテナ１６と、マッパ１８と、送信アンテナ制御情報生成部１９と、をそなえるほか、ビット毎の伝送に関する情報の一例としてのビット毎の尤度を取得するビット毎尤度制御部１７ｃをそなえる。
【００７５】
ここで、ビット毎尤度制御部（ビット毎尤度取得部、シンボルマッピング制御部）１７ｃは、再送バッファ１３に一旦保持された所定サイズの送信ビット列に関して、送信契機毎に、ビット毎の尤度（ＭＩＭＯ受信機２での推定尤度）の情報をマッパ１８から取得して累積的に記憶し、今回の送信においてそれまでの合成尤度が大きいビットほど優先的に伝送品質の低い送信アンテナ１６にマッピングされるように第２レートマッチング処理部１４及びマッパ１８を制御するものである。
【００７６】
例えば、ビット毎尤度制御部１７ｃは、図１５に模式的に示すように、再送処理（送信契機）毎に、それまでの合成尤度の小さいビットを優先的に伝送品質の高い送信アンテナ１６（チャネル）にマッピングする。相対的に、合成尤度の大きいビットは、伝送品質の低い送信アンテナ１６にマッピングされやすくする。
換言すれば、これまでの合成尤度が小さいビットは、伝送品質が改善されるようにマッピングされやすくなり、これまでの合成尤度が大きいビットは、伝送品質が低下するようにマッピングされやすくなる。
【００７７】
これは、ＭＩＭＯ受信機２が受信した前記送信ビット列を用いてＨＡＲＱ合成した結果のビット毎の推定尤度（受信品質）が等レベルに近づくように送信アンテナ１６（チャネル）へのマッピングを制御していることに相当する。
したがって、本例では、ビット毎尤度制御部１７ｃが、ＭＩＭＯ受信機２への送信毎に、送信ビット列のビット毎の伝送に関する情報を取得する取得手段としての機能と、この取得手段により得られた、前回の送信までの累積的な前記伝送に関する情報に基づいて、前記送信ビット列のビット毎の伝送品質が均等に近づくように、今回の送信ビット列のビット毎の送信方法を制御する制御手段としての機能とを果たしているといえる。
【００７８】
なお、本例においても、送信アンテナ１６（チャネル）毎の伝送品質は、前記第３実施形態と同様に、例えば、ＭＩＭＯ受信機２からのフィードバックされる送信アンテナ品質情報（どの送信アンテナ１６の伝送品質が高いかを示す情報）に基づいて決定される。この送信アンテナ品質情報は、送信アンテナ１６毎の品質を示す情報そのものでもよいし、品質の順番を示す情報であってもよい。また、送信アンテナ１６のすべてではなく、送信に用いた一部の送信アンテナ１６に関する情報に限定してもよい。
【００７９】
本例においても、前記送信アンテナ品質情報は、ＭＩＭＯ受信機２において、ＭＩＭＯ送信機１から異なる時間に異なる送信アンテナ１６から送信される、あるいは、送信アンテナ１６別に並列的に送信されるパイロット信号等の既知の信号の受信電力を基に求めることができる。
図１５に示す例は、送信アンテナ１６が２本（Ｔｘ１，Ｔｘ２）で、Ｔｘ１の方がＴｘ２よりも伝送品質が良い（送信アンテナＴｘ１の尤度が２、送信アンテナＴｘ２の尤度が１の）場合であり、（１）初回送信時にはそれまでの送信回数は再送バッファ１３に保持されたどの送信ビットも０回なので、ビット毎尤度制御部１７ｃは、前記ルールは適用せずに通常通りのマッピングを行なう。例えば、送信アンテナＴｘ１，Ｔｘ２に均等にマッピングする。
【００８０】
（２）その後の再送１回目では、ビット毎尤度制御部１７ｃは、送信ビット列の中で、それまでの合成尤度が最小（０）のビットから優先的に所定ビット数分を伝送品質の高い送信アンテナＴｘ１にマッピングする。送信アンテナＴｘ１にマッピングしきれない同じ尤度（０）のビットがある場合は、伝送品質の低い送信アンテナＴｘ２にマッピングする。それまでの合成尤度が１のビットは、送信アンテナＴｘ１へのマッピングに余裕があれば送信アンテナＴｘ１にマッピングし、送信アンテナＴｘ１にマッピングしきれなかったビットは送信アンテナＴｘ２にマッピングする。送信アンテナＴｘ１へのマッピングに余裕がなければ、合成尤度が１のビットはすべて送信アンテナＴｘ２にマッピングする。それまでの合成尤度が２のビットは、送信アンテナＴｘ１へのマッピングに余裕があれば送信アンテナＴｘ１にマッピングし、送信アンテナＴｘ１に余裕がなければすべて送信アンテナＴｘ２にマッピングする。
【００８１】
（３）再送２回目では、ビット毎尤度制御部１７ｃは、送信ビット列の中で、それまでの合成尤度が最小（２）のビットを優先的に伝送品質の高い送信アンテナＴｘ１にマッピングする。送信アンテナＴｘ１にマッピングしきれない同じ合成尤度（２）のビットがある場合は、送信アンテナＴｘ２にマッピングする。それまでの合成尤度が３のビットは、送信アンテナＴｘ１へのマッピングに余裕があれば送信アンテナＴｘ１にマッピングし、送信アンテナＴｘ１にマッピングしきれなかったビットは送信アンテナＴｘ２にマッピングする。送信アンテナＴｘ１へのマッピングに余裕がなければ、合成尤度が３のビットはすべて送信アンテナＴｘ２にマッピングする。
【００８２】
（４）再送３回目では、ビット毎尤度制御部１７ｃは、送信ビット列の中で、それまでの合成尤度が最小（３）のビットを優先的に送信アンテナＴｘ１にマッピングする。送信アンテナＴｘ１にマッピングしきれない同じ合成尤度（３）のビットがある場合は、送信アンテナＴｘ２にマッピングする。それまでの合成尤度が４のビットは、送信アンテナＴｘ１へのマッピングに余裕があれば送信アンテナＴｘ１にマッピングし、送信アンテナＴｘ１にマッピングしきれなかったビットは送信アンテナＴｘ２にマッピングする。送信アンテナＴｘ１へのマッピングに余裕がなければ、合成尤度が４のビットはすべて送信アンテナＴｘ２にマッピングする。
【００８３】
以降、同様にして、ビット毎尤度制御部１７ｃは、それまでの合成尤度が小さいビットほど優先的に伝送品質の高い送信アンテナＴｘ１にマッピングする（相対的に、合成尤度の大きいビットほど伝送品質の低い送信アンテナＴｘ２にマッピングされやすくなる）。なお、上記の例とは逆に、合成尤度が大きいビットから優先的に伝送品質の低い送信アンテナＴｘ２にマッピングすることとしてもよい。
【００８４】
このように、ＭＩＭＯ送信機１がＭＩＭＯ受信機２からＮＡＣＫを受信することにより再送処理を行なう場合、これまでの合成尤度が小さいビットほど伝送品質の高い送信アンテナ１６にマッピングすることで、ＨＡＲＱ合成後のビット毎の信号品質（尤度）を均等に近づけることができるので、通信容量の改善を図ることができる。
なお、前記第３実施形態と同様に、送信アンテナ制御情報生成部１９は、ビット毎尤度制御部１７ｃによって、どの送信アンテナ１６の伝送品質が良いとしてビットをマッピングしたか（マッピング方法）を示す情報（送信アンテナ制御情報）を生成し、受信装置２に送信する。これにより、第３実施形態で述べた作用効果と同様の作用効果を得ることができる。
【００８５】
〔６〕その他
上述した第３又は第４実施形態に、第１又は第２実施形態で説明したシンボルマッピング制御を適用してもよい。即ち、送信アンテナ１６へのマッピング制御とともに、多値変調信号（送信シンボル）へのシンボルマッピング制御を実施してもよい。このようにすれば、さらなる通信容量の改善効果が得られる。
【００８６】
また、上述した例では、ビット毎の送信条件の制御として、多値変調信号へのシンボルマッピング制御、あるいは、送信アンテナへのマッピング制御について説明したが、ビット毎の送信電力を制御することとしても、前記各実施形態で述べた作用効果と同様の作用効果を得ることができる。
即ち、送信電力を増加するほど信号の伝送品質が改善される傾向にあるから、送信回数あるいは合成尤度が大きいビットほど送信電力を減少させる制御（送信回数あるいは合成尤度が小さいビットほど送信電力を増加する制御）としても、ビット毎の伝送品質を均等に近づけることができ、通信容量の改善を図ることができる。
【００８７】
以上の各実施形態に関し、さらに以下の付記を開示する。
〔７〕付記
（付記１）
送信装置から受信装置へ送信済みのビットを含む送信ビット列を前記受信装置へ送信する送信方法であって、
前記送信装置は、
前記受信装置への送信毎に、送信ビット列のビット毎の伝送に関する情報を取得し、
前回の送信までの累積的な前記伝送に関する情報に基づいて、前記送信ビット列のビット毎の伝送品質が均等に近づくように、今回の送信ビット列のビット毎の送信条件を制御する、
ことを特徴とする、送信方法。
【００８８】
（付記２）
前記送信装置は、
前記送信ビット列を多値変調の送信シンボルにマッピングして前記受信装置へ送信する送信装置であって、
前記伝送に関する情報は、ビット毎の送信回数であり、
前記送信条件の制御は、今回の送信ビット列の中で、前回の送信までで前記送信回数の多いビットほど多値変調の送信シンボルにおける誤り耐性の低いビットにマッピングする制御である、
ことを特徴とする、付記１記載の送信方法。
【００８９】
（付記３）
前記送信装置は、
前記送信ビット列を多値変調の送信シンボルにマッピングして前記受信装置へ送信する送信装置であって、
前記伝送に関する情報は、ビット毎の尤度であり、
前記送信条件の制御は、今回の送信ビット列の中で、前回の送信までの合成尤度の大きいビットほど前記送信シンボルにおける誤り耐性の低いビットにマッピングする制御である、
ことを特徴とする、付記１記載の送信方法。
【００９０】
（付記４）
前記送信装置は、
前記送信ビット列を複数の送信アンテナのいずれかにマッピングして前記受信装置へ送信する送信装置であって、
前記伝送に関する情報は、ビット毎の送信回数であり、
前記送信条件の制御は、今回の送信ビット列の中で、前回の送信までで前記送信回数の多いビットほど伝送品質の低い送信アンテナにマッピングする制御である、
ことを特徴とする、付記１記載の送信方法。
【００９１】
（付記５）
前記送信装置は、
前記送信ビット列を複数の送信アンテナのいずれかにマッピングして前記受信装置へ送信する送信装置であって、
前記伝送に関する情報は、ビット毎の尤度であり、
前記送信条件の制御は、今回の送信ビット列の中で、前回の送信までの合成尤度が大きいビットほど伝送品質の低い送信アンテナにマッピングする制御である、
ことを特徴とする、付記１記載の送信方法。
【００９２】
（付記６）
前記伝送品質の低い送信アンテナの特定は、前記受信装置において測定され前記受信装置から通知される品質情報に基づいて行なわれる、
ことを特徴とする、付記４又は５に記載の送信方法。
（付記７）
前記送信装置は、
前記マッピングを行なった送信アンテナに関する情報を前記受信装置へ通知する、
ことを特徴とする、付記４〜６のいずれか１項に記載の送信方法。
【００９３】
（付記８）
受信装置へ送信済みのビットを含む送信ビット列を前記受信装置へ送信する送信装置であって、
前記受信装置への送信毎に、送信ビット列のビット毎の伝送に関する情報を取得する取得手段と、
前記取得手段により得られた、前回の送信までの累積的な前記伝送に関する情報に基づいて、前記送信ビット列のビット毎の伝送品質が均等に近づくように、今回の送信ビット列のビット毎の送信条件を制御する制御手段と、
をそなえたことを特徴とする、送信装置。
【００９４】
（付記９）
前記送信装置は、
前記送信ビット列を多値変調の送信シンボルにマッピングして前記受信装置へ送信する多値変調手段をそなえるとともに、
前記取得手段は、前記伝送に関する情報としてビット毎の送信回数を計数するビット毎送信回数計数部をそなえ、且つ、
前記制御手段は、
前記送信条件の制御として、前記ビット毎送信回数計数部の計数結果を基に、今回の送信ビット列の中で、前回の送信までで前記送信回数の多いビットほど前記送信シンボルにおける誤り耐性の低いビットにマッピングされるよう前記多値変調手段を制御するシンボルマッピング制御部、
をそなえたことを特徴とする、付記８記載の送信装置。
【００９５】
（付記１０）
前記送信装置は、
前記送信ビット列を多値変調の送信シンボルにマッピングして前記受信装置へ送信する多値変調手段をそなえるとともに、
前記取得手段は、
前記伝送に関する情報としてビット毎の尤度を求めるビット毎尤度取得部をそなえ、且つ、
前記制御手段は、
前記送信条件の制御として、前記ビット毎尤度取得部で取得された尤度を基に、今回の送信ビット列の中で、前回の送信までの合成尤度の大きいビットほど前記送信シンボルにおける誤り耐性の低いビットにマッピングされるよう前記多値変調手段を制御するシンボルマッピング制御部、
をそなえたことを特徴とする、付記８記載の送信装置。
【００９６】
（付記１１）
前記送信装置は、
前記送信ビット列を複数の送信アンテナのいずれかにマッピングして前記受信装置へ送信するマッピング手段をそなえるとともに、
前記取得手段は、
前記伝送に関する情報としてビット毎の送信回数を計数するビット毎送信回数計数部をそなえ、且つ、
前記制御手段は、
前記送信条件の制御として、前記ビット毎送信回数計数部の計数結果を基に、今回の送信ビット列の中で、前回の送信までで前記送信回数の多いビットほど伝送品質の低い送信アンテナにマッピングされるよう前記マッピング手段を制御するアンテナマッピング制御部、
をそなえたことを特徴とする、付記８記載の送信装置。
【００９７】
（付記１２）
前記送信装置は、
前記送信ビット列を複数の送信アンテナのいずれかにマッピングして前記受信装置へ送信するマッピング手段をそなえるとともに、
前記取得手段は、
前記伝送に関する情報としてビット毎の尤度を求めるビット毎尤度取得部をそなえ、且つ、
前記制御手段は、
前記送信条件の制御として、前記ビット毎尤度取得部で取得された尤度を基に、今回の送信ビット列の中で、前回の送信までの合成尤度が大きいビットほど伝送品質の低い前記送信アンテナにマッピングされるよう前記マッピング手段を制御するアンテナマッピング制御部、
をそなえたことを特徴とする、付記８記載の送信装置。
【００９８】
（付記１３）
前記アンテナマッピング制御部は、
前記受信装置において測定され前記受信装置から通知される、前記送信アンテナ毎の品質情報に基づいて前記伝送品質の低い送信アンテナを特定し、特定した情報に基づいて前記マッピングを制御する、
ことを特徴とする、付記１１又は１２に記載の送信装置。
【００９９】
（付記１４）
前記送信装置は、
前記マッピングを行なった送信アンテナに関する情報を前記受信装置へ通知する送信アンテナ情報送信手段をさらにそなえたことを特徴とする、付記１１〜１３のいずれか１項に記載の送信装置。
【符号の説明】
【０１００】
１  無線送信装置（ＭＩＭＯ送信機）
１１  誤り訂正符号化部
１２  第１レートマッチング処理部
１３  再送バッファ
１４  第２レートマッチング処理部
１５  多値変調部
１６  送信アンテナ
１７  ビット毎送信回数制御部
１７ａ  ビット毎尤度制御部
１７ｂ  ビット毎送信回数制御部
１７ｃ  ビット毎尤度制御部
１８  マッパ
１９  送信アンテナ制御情報生成部
２  無線受信装置（ＭＩＭＯ受信機）
【図１】
2011229175.tif 000003
【図２】
2011229175.tif 000004
【図３】
2011229175.tif 000005
【図４】
2011229175.tif 000006
【図５】
2011229175.tif 000007
【図６】
2011229175.tif 000008
【図７】
2011229175.tif 000009
【図８】
2011229175.tif 000010
【図９】
2011229175.tif 000011
【図１０】
2011229175.tif 000012
【図１１】
2011229175.tif 000013
【図１２】
2011229175.tif 000014
【図１３】
2011229175.tif 000015
【図１４】
2011229175.tif 000016
【図１５】
2011229175.tif 000017